(57)【特許請求の範囲】
【請求項１】
シートを載置可能であり、給送位置及び当該給送位置とは異なる非給送位置に移動可能なトレイと、
上記給送位置にある上記トレイに載置されるシートを給送する給送部と、
上記給送部によって給送されたシートを搬送向きに搬送する搬送部と、
上記搬送部によって搬送されるシートに画像を記録する記録部と、
搬送されるシートと当接する当接部を有し、搬送されるシートが通過する搬送路において、上記記録部よりも上記搬送向きの下流側に配置された揺動部材であって、上記当接部が、上記搬送路を搬送されるシートに当接される第１位置、上記トレイが上記給送位置であるときの位置であり、且つ上記第１位置とは異なる第２位置、及び上記トレイが上記非給送位置であるときの位置であり、且つシートに当接されず、上記第１位置及び上記第２位置とは異なる第３位置に移動する揺動部材と、
上記揺動部材の上記当接部が上記第１位置又は上記第３位置であるときに第１信号を発生させ、上記揺動部材が上記第２位置であるときに上記第１信号とは異なる第２信号を発生させる信号発生部と、
装置の状態を示す報知画像を表示可能な表示部と、
上記搬送部及び上記記録部の動作を制御する制御部と、を備え、
上記制御部は、
上記搬送部に搬送させたシートに対して上記記録部に画像を記録させ、且つ画像が記録されたシートが少なくとも上記揺動部材を通過する所定の動作量だけ上記搬送部をさらに動作させ、
上記搬送部が所定の動作量だけ動作したときに上記信号発生部の信号が上記第１信号である場合、上記表示部に上記報知画像としてシートが上記搬送路に詰まったことを示す、又は上記トレイが移動されたことを示す表示をさせ、
上記搬送部及び上記記録部のいずれも動作させていないときに上記信号発生部の信号が上記第２信号から上記第１信号になった場合、上記表示部に上記報知画像として上記トレイが移動されたことを示す表示をさせることを特徴とする画像記録装置。
【請求項２】
上記制御部は、上記搬送向きにおけるシートの下流端の予測位置を算出し、上記搬送部によるシートの搬送中に上記信号発生部の信号が上記第２信号から上記第１信号になった際、
上記予測位置が上記揺動部材よりも上記搬送向きにおいて上流側である場合、上記報知画像として上記表示部に上記トレイが移動されたことを示す表示をさせるとともに、上記記録部及び上記搬送部の動作を停止させ、
上記予測位置が上記揺動部材よりも上記搬送向きにおいて下流側である場合、シートの下流端を検知し、
シートの下流端を検知してから上記搬送部が所定の動作量だけ動作するまで、上記信号発生部の信号が上記第１信号のままである場合、上記表示部に上記報知画像としてシートが上記搬送路に詰まったことを示す、又は上記トレイが移動されたことを示す表示をさせることを特徴とする請求項１に記載の画像記録装置。
【請求項３】
シート通過フラグを記憶するメモリをさらに備え、
上記制御部は、
シートの下流端を検知したことに応じて、上記シート通過フラグにＯＮをセットし、
上記信号発生部の信号が上記第１信号から上記第２信号になったことに応じて、上記シートフラグにＯＦＦをセットし、
上記搬送部が所定の動作量だけ動作したときに、上記信号発生部の信号が上記第１信号であり且つ上記シートフラグにＯＮがセットされている場合、上記表示部に上記報知画像としてシートが上記搬送路に詰まったことを示す、又は上記トレイが移動されたことを示す表示をさせることを特徴とする請求項２に記載の画像記録装置。
【請求項４】
上記記録部の上記搬送向きの上流側に設けられており、シートが通過した際に検知信号を発生する検知信号発生部をさらに備え、
上記搬送部は、シートを搬送する搬送ローラを有しており、
上記制御部は、上記検知信号が発生された後の上記搬送ローラの回転量に基づいて、上記予測位置を算出することを特徴とする請求項２又は３に記載の画像記録装置。
【請求項５】
上記記録部の上記搬送向きの下流側の第１合流部と、上記記録部よりも上記搬送向きの上流側の第２合流部とにおいて上記搬送路と合流する副搬送路を上記記録部と上記トレイとの間に形成する副搬送路形成部材と、を備え、
上記搬送部及び上記記録部のいずれも動作されていないときは、上記第２位置にある上記当接部が、上記副搬送路形成部材に支持され、
シートの一方の面に画像を記録した後に他方の面に画像を記録する際、上記制御部は、シートの上記搬送向きの下流端を検知して、上記信号発生部の信号が上記第２信号に変化すると、上記搬送部にシートを搬送向きとは逆向きに搬送させ、シートの上記搬送向きの下流端を検知し上記第１信号が所定時間継続されると、上記表示部に上記報知画像としてシートが上記搬送路に詰まったことを示す、又は上記トレイが移動されたことを示す表示をさせることを特徴とする請求項２から４のいずれかに記載の画像記録装置。
【請求項６】
上記副搬送路形成部材は、上記給送位置にある上記トレイによって支持される支持位置と、上記非給送位置にある上記トレイによって支持されない非支持位置とに移動可能な被支持部材を有し、
上記搬送部及び上記記録部のいずれも動作されていないときに、
上記被支持部材が上記支持位置にある場合に、上記当接部は上記被支持部材によって支持されて上記第２位置にあり、上記被支持部材が上記支持位置にある場合に、上記当接部は、上記被支持部材によって支持されず上記第３位置にあることを特徴とする請求項５に記載の画像記録装置。
【請求項７】
上記制御部は、上記記録部による画像の記録中、又は上記搬送部によるシートの搬送中に上記信号発生部の信号が上記第２信号から上記第１信号に変化すると、上記記録部及び上記搬送部の動作を停止させる請求項１に記載の画像記録装置。
【請求項８】
上記制御部は、上記報知画像を上記表示部に表示させてから上記信号発生部の信号が上記第１信号から上記第２信号に、又は上記第２信号から上記第１信号に変化するまで、上記報知画像を上記表示部に表示させる請求項１から７のいずれかに記載の画像記録装置。
【請求項９】
シートを載置可能であり、給送位置及び当該給送位置とは異なる非給送位置に移動可能なトレイと、
上記給送位置にある上記トレイに載置されるシートを給送する給送部と、
上記給送部によって給送されたシートを搬送向きに搬送する搬送部と、
上記搬送部によって搬送されるシートに画像を記録する記録部と、
搬送されるシートと当接する当接部を有し、搬送されるシートが通過する搬送路において、上記記録部よりも上記搬送向きの下流側に配置された揺動部材であって、上記当接部が、上記搬送路を搬送されるシートに当接される第１位置、上記トレイが上記給送位置であるときの位置であり、且つ上記第１位置とは異なる第２位置、及び上記トレイが上記非給送位置であるときの位置であり、且つシートに当接されず、上記第１位置及び上記第２位置とは異なる第３位置に移動する揺動部材と、
上記揺動部材の上記当接部が上記第１位置又は上記第３位置であるときに第１信号を発生させ、上記揺動部材が上記第２位置であるときに上記第１信号とは異なる第２信号を発生させる信号発生部と、
装置の状態を示す報知画像を表示可能な表示部と、
上記搬送部及び上記記録部の動作を制御する制御部と、を備え、
上記制御部は、
上記搬送部及び上記記録部のいずれも動作させていないときに上記信号発生部の信号が上記第２信号から上記第１信号になった場合、上記表示部に上記報知画像として上記トレイが移動されたことを示す表示をさせ、
上記搬送向きにおけるシートの下流端の予測位置を算出し、上記搬送部によるシートの搬送中に上記信号発生部の信号が上記第２信号から上記第１信号になった際、
上記予測位置が上記揺動部材よりも上記搬送向きにおいて上流側である場合、上記報知画像として上記表示部に上記トレイが移動されたことを示す表示をさせるとともに、上記記録部及び上記搬送部の動作を停止させ、
上記予測位置が上記揺動部材よりも上記搬送向きにおいて下流側である場合、シートの下流端を検知し、
シートの一方の面に画像を記録した後に他方の面に画像を記録する際、シートの上記搬送向きの下流端を検知して、上記信号発生部の信号が上記第２信号に変化すると、上記搬送部にシートを搬送向きとは逆向きに搬送させ、シートの上記搬送向きの下流端を検知し上記第１信号が所定時間継続されると、上記表示部に上記報知画像としてシートが上記搬送路に詰まったことを示す、又は上記トレイが移動されたことを示す表示をさせることを特徴とする画像記録装置。
【発明の詳細な説明】
【技術分野】
【０００１】
本発明は、トレイから搬送路へと供給されたシートに画像を記録する画像記録装置に関する。
【背景技術】
【０００２】
搬送路を搬送されるシートに画像を記録する画像記録装置が知られている。画像記録装置にはトレイが装着され、トレイには画像が記録されるシートが積載されている。シートは、トレイから搬送路へと供給され、搬送路を搬送される。その過程において、シートに画像が記録される。
【０００３】
画像記録の際、シートが搬送路に詰まることがある。また、ユーザの手によってトレイが画像記録装置から抜かれることがある。このような状況で画像記録が継続されると、画像が正常に記録されなかったり、画像記録装置が故障するおそれがある。そのため、状況に応じて、画像記録の処理を中止したり、ユーザに対して適切な報知を行うことが必要となる。
【０００４】
たとえば、特許文献１には、シートによって倒伏される第１検出アーム４９及び第２検出アーム５０と、第１検出アーム４９及び第２検出アーム５０の姿勢変化を検出する光学センサ６６とを備えた画像記録装置が開示されている。これにより、搬送路内を搬送されるシートを検知することが可能となる。引用文献２には、収納カセット５６の着脱を検知する検知装置８４を備えた画像形成装置が開示されている。
【先行技術文献】
【特許文献】
【０００５】
【特許文献１】特開２０１２−１３２８号公報
【特許文献２】特開２００８−１１４９４９号公報
【発明の概要】
【発明が解決しようとする課題】
【０００６】
特許文献１，２に開示された発明では、それぞれ、シート又はトレイの状態のうちの一方しか判断することができない。シート及びトレイの状態を共に判断可能とするためには、センサなどの検知手段を複数設ける必要があり、画像記録装置の複雑化や高コスト化を招く。
【０００７】
本発明は、上述された問題に鑑みてなされたものであり、その目的は、簡単な構成によってシート及びトレイの状態を判断可能な画像記録装置を提供することにある。
【課題を解決するための手段】
【０００８】
(1)  本発明に係る画像記録装置は、シートを載置可能であり、給送位置及び当該給送位置とは異なる非給送位置に移動可能なトレイと、上記給送位置にある上記トレイに載置されるシートを給送する給送部と、上記給送部によって給送されたシートを搬送向きに搬送する搬送部と、上記搬送部によって搬送されるシートに画像を記録する記録部と、搬送されるシートと当接する当接部を有し、搬送されるシートが通過する搬送路において、上記記録部よりも上記搬送向きの下流側に配置された揺動部材であって、上記当接部が、上記搬送路を搬送されるシートに当接される第１位置、上記トレイが上記給送位置であるときの位置であり、且つ上記第１位置とは異なる第２位置、及び上記トレイが上記非給送位置であるときの位置であり、且つシートに当接されず、上記第１位置及び上記第２位置とは異なる第３位置に移動する揺動部材と、上記揺動部材の上記当接部が上記第１位置又は上記第３位置であるときに第１信号を発生させ、上記揺動部材が上記第２位置であるときに上記第１信号とは異なる第２信号を発生させる信号発生部と、装置の状態を示す報知画像を表示可能な表示部と、上記搬送部及び上記記録部の動作を制御する制御部と、を備え、上記制御部は、上記搬送部及び上記記録部のいずれも動作させていないときに上記信号発生部の信号が上記第２信号から上記第１信号になった場合、上記表示部に上記報知画像として上記トレイが移動されたことを示す表示をさせることを特徴とする。
【０００９】
ここで、第１信号及び第２信号は、両者を制御部が区別可能なものであればよく、第１信号又は第２信号の一方は信号が発生されていない状態であってもよい。
【００１０】
揺動部材の位置に応じて、信号発生部が発生させる信号が第１信号に変化するため、制御部は、シートが揺動部材を通過したこと、及びトレイが移動されたことを検知することができる。特に、搬送部及び記録部のいずれも動作させていないときに信号発生部の信号が第２信号から第１信号になった場合には、制御部は、トレイが移動されたと判断することができる。その結果、表示部に適切な報知画像を表示させることができる。
【００１１】
(2)  上記制御部は、上記搬送向きにおけるシートの下流端の予測位置を算出し、上記搬送部によるシートの搬送中に上記信号発生部の信号が上記第２信号から上記第１信号になった際、上記予測位置が上記揺動部材よりも上記搬送向きにおいて上流側である場合、上記報知画像として上記表示部に上記トレイが移動されたことを示す表示をさせるとともに、上記記録部及び上記搬送部の動作を停止させ、上記予測位置が上記揺動部材よりも上記搬送向きにおいて下流側である場合、シートの下流端を検知することを特徴とする。
【００１２】
ここで、本発明において、「シートの搬送中」とは、搬送の課程のことであり、画像記録のためにシートが一時的に停止された状態を含んでいる。
【００１３】
本構成では、シートの下流端の予測位置が算出されることで信号発生部の信号が第２信号から第１信号になった場合に、トレイが移動されたのか、又はシートの下流端が揺動部材に到達したのかを制御部が容易に判断することができる。
【００１４】
(3)  上記記録部の上記搬送向きの上流側に設けられており、シートが通過した際に検知信号を発生する検知信号発生部をさらに備え、上記搬送部は、シートを搬送する搬送ローラを有しており、上記制御部は、上記検知信号が発生された後の上記搬送ローラの回転量に基づいて、上記予測位置を算出することを特徴とする。
【００１５】
(4)  上記記録部の上記搬送向きの下流側の第１合流部と、上記記録部よりも上記搬送向きの上流側の第２合流部とにおいて上記搬送路と合流する副搬送路を上記記録部と上記トレイとの間に形成する副搬送路形成部材と、を備え、上記搬送部及び上記記録部のいずれも動作されていないときは、上記第２位置にある上記当接部が、上記副搬送路形成部材に支持され、シートの一方の面に画像を記録した後に他方の面に画像を記録する際、上記制御部は、シートの上記搬送向きの下流端を検知して、上記信号発生部の信号が上記第２信号に変化すると、上記搬送部にシートを搬送向きとは逆向きに搬送させ、シートの上記搬送向きの下流端を検知し上記第１信号が所定時間継続されると、上記表示部に上記報知画像としてシートが上記搬送路に詰まったことを示す、又は上記トレイが移動されたことを示す表示をさせることを特徴とする。
【００１６】
シートが両面画像記録のために副搬送路に送られる構成の場合、揺動部材の回動によって、シートの上流端が副搬送路へと向けられる。このとき、揺動部材は第２位置に位置している。しかし、第１信号が発生しているならば、揺動部材が第２位置になく、シートの上流端が正常に副搬送路へと向けられておらず搬送異常（たとえばシート詰まり）を起こしているか、トレイが非給送位置にあると判断できる。
【００１７】
(5)  上記副搬送路形成部材は、上記給送位置にある上記トレイによって支持される支持位置と、上記非給送位置にある上記トレイによって支持されない非支持位置とに移動可能な被支持部材を有し、上記搬送部及び上記記録部のいずれも動作されていないときに、上記被支持部材が上記支持位置にある場合に、上記当接部は上記被支持部材によって支持されて上記第２位置にあり、上記被支持部材が上記支持位置にある場合に、上記当接部は、上記被支持部材によって支持されず上記第３位置にあることを特徴とする。
【００１８】
(6)  上記制御部は、上記記録部による画像の記録中、又は上記搬送部によるシートの搬送中に上記信号発生部の信号が上記第２信号から上記第１信号に変化すると、上記記録部及び上記搬送部の動作を停止させる。
【００１９】
トレイが非給送位置にある状態で画像記録が継続されるとシートが詰まるおそれがあるため、本構成では、記録部及び搬送部の動作を停止させる。
【００２０】
(7)  上記制御部は、上記報知画像を上記表示部に表示させてから上記信号発生部の信号が上記第１信号から上記第２信号に、又は上記第２信号から上記第１信号に変化するまで、上記報知画像を上記表示部に表示させる。
【００２１】
本構成では、問題が発生してから時間をおいてユーザが画像記録を再開しようとした場合でも、装置を正常な状態に復帰させるための対処方法をユーザに指示することができる。
【００２２】
(8)  本発明に係る画像記録装置は、シートを載置可能であり、給送位置及び当該給送位置とは異なる非給送位置に移動可能なトレイと、上記給送位置にある上記トレイに載置されるシートを給送する給送部と、上記給送部によって給送されたシートを搬送向きに搬送する搬送部と、上記搬送部によって搬送されるシートに画像を記録する記録部と、上記搬送部によって搬送されるシートが通過する搬送路において、上記記録部の上記搬送向きの下流側の第１合流部と、上記記録部よりも上記搬送向きの上流側の第２合流部とにおいて上記搬送路と合流する副搬送路を上記記録部と上記トレイとの間に形成する副搬送路形成部材と、上記副搬送路形成部材の一部を形成し、上記給送位置にある上記トレイに支持される支持位置と、上記非給送位置にある上記トレイに支持されない非支持位置とに移動する被支持部材と、搬送されるシートと当接する当接部を有し、搬送されるシートが通過する搬送路において、上記記録部よりも上記搬送向きの下流側に配置された揺動部材であって、上記当接部が上記搬送路を搬送されるシートによって当接される第１位置、上記支持位置にある上記被支持部材によって支持され且つ上記第１位置とは異なる第２位置、及び上記非支持位置にある上記被支持部材によって支持されず且つ上記第１位置及び上記第２位置とは異なる第３位置に移動する揺動部材と、上記揺動部材が上記第１位置又は上記第３位置であるときに第１信号を発生し、上記揺動部材が上記第２位置であるときに上記第１信号とは異なる第２信号を発生する信号発生部と、装置の状態を示す報知画像を表示可能な表示部と、上記表示部、上記搬送部及び上記記録部の動作を制御する制御部と、を備え、上記制御部は、上記搬送部及び上記記録部のいずれも動作させていないときに上記信号発生部の信号が上記第２信号から上記第１信号になった場合、上記表示部に上記報知画像として上記トレイが移動されたことを示す表示をさせることを特徴とする。
【発明の効果】
【００２３】
本発明に係る画像記録装置によると、簡単な構成によってシート及びトレイの状態を判断することが可能である。
【図面の簡単な説明】
【００２４】
【図１】図１は、本発明の実施形態に係る複合機１０の斜視図である。
【図２】図２は、プリンタ部１１の構成を示す模式図である。
【図３】図３は、記録用紙３２及び給送トレイ２０によって、フラップ７６の位置が変化する様子を示した模式図である。
【図４】図４は、記録用紙３２が副搬送路７５へ搬送される様子を示した模式図である。
【図５】図５は、信号発生部６４から発生される信号を示した模式図である。
【図６】図６は、制御部１３０の構成を示すブロック図である。
【図７】図７は、フラップ７６の移動に基づいて制御部１３０が異常を検知する制御を示すフローチャートの前半部分である。
【図８】図８は、フラップ７６の移動に基づいて制御部１３０が異常を検知する制御を示すフローチャートの後半部分である。
【発明を実施するための形態】
【００２５】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。複合機１０は、図１に示す状態で設置されて使用される。本実施形態において、図１の矢印を付して示す３つの方向が、上下方向７、前後方向８、及び左右方向９である。また、以下の説明においては、複合機１０が使用可能に設置された状態（図１の状態）を基準として上下方向７が定義され、給送トレイ２０が装着された側を手前側（正面）として前後方向８が定義され、複合機１０を手前側（正面）から見て左右方向９が定義される。
【００２６】
図１，２に示されるように、複合機１０（本発明の画像記録装置の一例）は、直方体に概ね形成されている。複合機１０はインクジェット記録方式のプリンタ部１１を備えている。複合機１０は、ファクシミリ機能や、記録用紙３２（図２、本発明のシートの一例）に画像を記録するプリント機能などの各種の機能を有している。なお、プリント機能以外の機能の有無は任意である。プリンタ部１１は、前面に開口が形成された筐体１４を有している。記録用紙３２を載置可能な給送トレイ２０（本発明のトレイの一例）が筐体１４の開口に対し前後方向８に着脱可能である。つまり、給送トレイ２０は、複合機１０に着脱可能である。給送トレイ２０の上部に排紙保持部７９が形成されている。画像が記録された記録用紙３２は、排紙保持部７９へ排紙される。
【００２７】
複合機１０の前面には、複合機１０の操作に必要な各種の情報を表示するための液晶表示パネル１２（本発明の表示部の一例）が設けられている。
【００２８】
［プリンタ部１１の構成］
図２に示されるように、プリンタ部１１は、給送トレイ２０から記録用紙３２を給送する給送部１５と、給送トレイ２０よりも上方に設けられており、記録用紙３２にインク滴を吐出して、記録用紙３２に画像を記録するインクジェット記録方式の記録部２４などを備えている。
【００２９】
［給送部１５］
図２に示されるように、給送トレイ２０と記録部２４との間に給送部１５が設けられている。給送部１５は、給送ローラ２５及び給送アーム２６を備えている。給送ローラ２５は、複数のギヤが噛合されてなる駆動伝達機構２７によって、給送モータ６１（図６）の駆動力が伝達されて回転する。
【００３０】
給送モータ６１の回転は、プリンタ部１１が備える制御部１３０（図６）によって制御されている。給送ローラ２５の回転により、給送トレイ２０に積載された一番上の記録用紙３２が湾曲路６５Ａに給送される。制御部１３０は、必要に応じて給送ローラ２５を回転させて、給送トレイ２０の記録用紙３２を湾曲路６５Ａへ給送する。
【００３１】
［記録部２４］
図２に示されるように、記録部２４は、給送トレイ２０の上方に配置されている。記録部２４は、キャリッジ２９、及びキャリッジ２９に搭載された記録ヘッド３０などを有している。キャリッジ２９は、駆動伝達機構（不図示）を介してキャリッジ駆動モータ６２（図６）から駆動力が伝達されて、左右方向９（図２の紙面垂直方向）へ往復移動する。
【００３２】
記録部２４の下方であって、当該記録部２４と対向する位置には、記録用紙３２を支持して水平に保持するためのプラテン３１が設けられている。記録ヘッド３０は、左右方向９へ往復移動する過程において、インクカートリッジ（不図示）から供給されたインクを、プラテン３１上を搬送される記録用紙３２に吐出する。これにより、記録用紙３２に画像が記録される。ただし、ここで説明された記録部２４の記録方式は一例に過ぎず、記録部２４は、たとえば熱転写方式によって画像を記録するものであってもよい。
【００３３】
［搬送路６５］
図２に示されるように、プリンタ部１１の内部には、給送トレイ２０の先端（つまり、後方側の端部）から記録部２４を経て排紙保持部７９に至る搬送路６５が形成されている。搬送路６５は、湾曲路６５Ａと、排紙路６５Ｂとに区分される。湾曲路６５Ａは、給送トレイ２０の先端から後述する第１搬送ローラ５１に至る間に形成される。排紙路６５Ｂは、第１搬送ローラ５１から排紙保持部７９に至る間に形成される。
【００３４】
湾曲路６５Ａは、給送トレイ２０に設けられた傾斜部２２の上端付近から第１搬送ローラ５１に亘って延設された湾曲状の通路である。給送トレイ２０から給送される記録用紙３２は、湾曲路６５Ａを第１搬送向き（図２において一点鎖線に付された矢印の向き、本発明の搬送向きの一例）に沿って湾曲されて、前方へとＵターンされる。Ｕターンされた記録用紙３２は、記録部２４の直下へ案内される。湾曲路６５Ａは、所定間隔を隔てて互いに対向する第１ガイド部材１８と第２ガイド部材１９とによって形成されている。なお、第１ガイド部材１８及び第２ガイド部材１９、更に後述する各ガイド部材６６，６７，６８，６９は、いずれも、左右方向９（図２の紙面垂直方向）へ延出されている。
【００３５】
排紙路６５Ｂは、第１搬送ローラ５１から排紙保持部７９に亘って延設された直線状の通路である。記録用紙３２は、排紙路６５Ｂを第１搬送向きに案内される。排紙路６５Ｂは、記録部２４が設けられていない箇所においては、所定間隔を隔てて互いに対向する第３ガイド部材６６と第４ガイド部材６７と、後述する回動ガイド部材７３とによって形成されている。
【００３６】
［搬送ローラ５１，５４，５７］
図２に示されるように、記録部２４の第１搬送向き上流側には、第１搬送ローラ５１（本発明の搬送ローラの一例）及びピンチローラ５２を備える第１ローラ対５３が設けられている。ピンチローラ５２は、第１搬送ローラ５１の下方に配置されており、図示しないバネなどの弾性部材によって第１搬送ローラ５１のローラ面に圧接されている。第１ローラ対５３は、給送部１５によって給送される記録用紙３２を挟持して記録部２４に向けて搬送する。
【００３７】
記録部２４の第１搬送向き下流側には、第２搬送ローラ５４及び拍車５５を備える第２ローラ対５６が設けられている。拍車５５は、第２搬送ローラ５４の上方に配置されており、図示しないバネなどの弾性部材によって第２搬送ローラ５４のローラ面に圧接されている。第２ローラ対５６は、記録部２４によって画像が記録された記録用紙３２を挟持して、排紙路６５Ｂに沿って第１搬送向き下流側へ搬送する。
【００３８】
第２ローラ対５６の第１搬送向き下流側には、第３搬送ローラ５７及び拍車５８を備える第３ローラ対５９が設けられている。拍車５８は、第３搬送ローラ５７の上方に配置されており、図示しないバネなどの弾性部材によって第３搬送ローラ５７のローラ面に圧接されている。第３ローラ対５９は正転されると、記録用紙３２を挟持して第１搬送向きの下流側へ搬送する。つまり、排紙保持部７９へ向けて記録用紙３２を搬送する。また、第３ローラ対５９は逆転されると、後述する副搬送路７５に向けて記録用紙３２を搬送する。なお、搬送モータ３３が正転すると、第３搬送ローラ５７は正転され、搬送モータ３３が逆転すると、第３搬送ローラ５７は逆転される。
【００３９】
第１搬送ローラ５１、第２搬送ローラ５４、及び第３搬送ローラ５７は、それぞれ搬送モータ３３（図６）から駆動伝達機構（不図示）を介して駆動伝達されて回転する。搬送モータ３３の回転は、制御部１３０によって制御されている。ここで、第１搬送ローラ５１、第２搬送ローラ５４及び第３搬送ローラ５７が本発明の搬送部の一例である。
【００４０】
第１搬送ローラ５１の左右方向９の端部には、光学式のロータリーエンコーダ７０（図６）が設けられている。ロータリーエンコーダ７０は、第１搬送ローラ５１の回転量に基づくパルス信号を制御部１３０へ送る。
【００４１】
第１搬送向きにおける記録部２４の上流側であって、第１ローラ対５３の上流側には、レジセンサ６３（本発明の検知信号発生部の一例）が設けられている。レジセンサ６３は、記録用紙３２の第１搬送向き下流端がレジセンサ６３を通過したことに基づく検知信号を発生する。そして発生された検知信号は、制御部１３０へ出力される。レジセンサ６３は、記録用紙３２の通過によって通電状態が切り替えられる機械式のセンサであってもよいし、光学式のセンサであってもよい。
【００４２】
［給送トレイ２０］
図２に示されるように、給送トレイ２０は、記録部２４の下方に装着可能である。給送トレイ２０は、後方側ほど上方に位置するように傾斜された傾斜部２２を有している。傾斜部２２は、記録用紙３２の第１搬送向き下流端側を上方へ傾斜させて、湾曲路６５Ａへと案内するためのものである。なお、載置部２３、傾斜部２２は、いずれも、左右方向９へ延出されている。
【００４３】
給送トレイ２０は、底板７１と上板７２とを備える。底板７１は、給送トレイ２０の底面を形成し、底板７１の上面（つまり、載置部２３）に記録用紙３２が載置される。上板７２は、底板７１の上方に配置されており、底板７１に載置された記録用紙３２を部分的に覆っている。本実施形態では、上板７２に上述された排紙保持部７９が形成されている。上板７２のうち排紙保持部７９より後方側に、後述される回動ガイド部材７３を支持する支持部７４が形成されている。また、給送トレイ２０の上板７２に排紙保持部７９が設けられていたが、排紙保持部７９と、上板７２とは、それぞれが独立して別々に設けられていてもよい。
【００４４】
回動ガイド部材７３（本発明の副搬送路形成部材、支持部材の一例）は、概ね平板形状を呈している。また回動ガイド部材７３は、一端側を第３搬送ローラ５７と同軸に、当該第３搬送ローラ５７の軸に支持されており、当該軸を中心に回動自在である。回動ガイド部材７３は、支持部７４によって支持された状態において、後述される副搬送路７５の下面を形成する。なお、支持部７４は上板７２に形成される。給送トレイ２０は、記録用紙３２を給送可能な給送位置（図２の位置）において、支持部７４が回動ガイド部材７３を支持する。また、給送トレイ２０が前方側へ少なくとも部分的に抜かれて、記録用紙を給送できない非給送位置にまで移動すると、支持部７４によって支持されない回動ガイド部材７３は、他端側の端部が下方に下がるように回動する。つまり、回動ガイド部材７３は、搬送路６５及び副搬送路７５を開放するように姿勢変化する（図３（Ｂ）の状態）。これは、搬送路６５又は副搬送路７５に詰まった記録用紙３２の除去を容易にするためのものである。なお、副搬送路７５については後述される。ここで、支持部７４によって支持された状態の回動ガイド部材７３の位置（図３（Ａ），（Ｃ）の位置）が本発明の支持位置の一例であり、支持されていない状態の回動ガイド部材７３の位置（図３（Ｂ），（Ｄ）の位置）が本発明の非支持位置の一例である。
【００４５】
［フラップ７６］
第３ガイド部材６６には、左右方向９（図２の紙面垂直方向）へ延びる支軸７７が設けられている。支軸７７は、排紙路６５Ｂよりも上方に設けられている。フラップ７６（本発明の揺動部材の一例）は、支軸７７から概ね第１搬送向きの下流側へ延出されており、支軸７７に回動可能に支持されている。フラップ７６には、２つの補助ローラ７８が回動自在に支持されている。補助ローラ７８のローラ面は、拍車状に形成されている。ここで、前方側の補助ローラ７８が本発明の当接部の一例である。また、フラップ７６に補助ローラ７８が設けられていない場合、フラップの第１搬送向き下流端部が、本発明の当接部の一例である。
【００４６】
以下に、回動ガイド部材７３とフラップ７６と記録用紙３２との移動について、図３及び図４を用いて説明する。フラップ７６は、回動可能に構成されており、第１位置、第２位置、及び第３位置の間で回動する。第１位置（図３（Ｃ）、（Ｄ）の位置）は、フラップ７６が排紙路６５Ｂを搬送される記録用紙３２に支持される位置である。第２位置（図２及び図３（Ａ）の位置）は、フラップ７６が副搬送路７５を形成する回動ガイド部材７３によって支持される位置である。第３位置は、フラップ７６が回動ガイド部材７３や記録用紙３２のいずれにも支持されない位置である（図３（Ｂ）の位置）。この３つの位置のうち、フラップ７６の第１搬送向き下流端（つまり、回動先端部）が最も上方に位置する位置が第１位置であり、最も下方に位置する位置が第３位置である。
【００４７】
第３ガイド部材６６には、信号発生部６４（図３及び図４参照）が取り付けられており、当該信号発生部６４は、フラップ７６の移動に応じて異なる信号を発生する。つまり、信号発生部６４を構成する回路の通電状態がフラップ７６の位置に応じて切り替えられることで、信号発生部６４は、フラップ７６の位置に応じて異なる信号を発生する。具体的には、フラップ７６には、遮蔽部８５（図３及び図４参照）が形成されている。また信号発生部６４は、図３及び図４の左右方向９（つまり、紙面垂直方向）にそれぞれ発光部と受光部とが間隔を開けて設けられている。そして、フラップ７６の遮蔽部８５が、発光部と受光部との間に進入することで、発光部から受光部に向けて発せられる光に遮蔽する。一方で、遮蔽部８５が発光部と受光部との間から退避すると、発光部から発せられた光は受光部によって受光される。なお、信号発生部６４は、プリンタ部１１を支持するメインフレーム等に取り付けられてもよい。
【００４８】
遮蔽部８５が、発光部から発せられる光を遮蔽すると、信号発生部６４（または受光部）は、Ｌ（ロー）レベルの第１信号を発生する（図５（Ａ）参照）。一方で、発光部から発せられる光を受光部が受光すると、信号発生部６４（または受光部）は、第１信号よりも強度が大きいＨ（ハイ）レベルの第２信号を発生する（図５（Ｂ）参照）。この時のフラップ７６の位置と、信号発生部６４との位置関係について説明する。フラップ７６が第１位置又は第３位置にあるとき、信号発生部６４は、第１信号を発生する。フラップ７６が第２位置にあるとき、信号発生部６４は、第２信号を発生する。ただし、第１信号及び第２信号という表現は便宜的なものであり、一方が、信号が発生された状態、他方が信号が発生されていない状態であってもよい。また、第１信号及び第２信号は、ある閾値の範囲内での強度を示す信号である。なお、信号発生部６４によって発生された各信号は、制御部１３０に出力される。
【００４９】
回動ガイド部材７３が副搬送路７５を形成し、且つ記録用紙３２が搬送されていない時、フラップ７６は第２位置（図３（Ａ）の位置）にある。この状態において、記録部２４を通過した記録用紙３２の第１搬送向き下流端がフラップ７６に到達すると、フラップ７６は記録用紙３２の上面に押され、第１位置へと移動する。この状態において、継続して搬送された記録用紙３２は、第３ローラ対５９に挟持される（図３（Ｃ）の状態）。第３ローラ対５９の回転によって、記録用紙３２は排紙保持部７９側へ搬送される。その後、記録用紙３２の第１搬送向き上流端が後方側の補助ローラ７８よりも第１搬送向き下流側の既定位置に到達すると、フラップ７６が第１位置から第２位置へ回動される。これは、記録用紙３２がフラップ７６を押し上げる力よりも、フラップ７６が自重によって第２位置側へ回動する力が強くなるためである。これにより、記録用紙３２の第１搬送向き上流端部は、フラップ７６によって下側へ押圧され、回動ガイド部材７３に支持される（図４（Ａ）の状態）。なお、既定位置とは、フラップ７６の第１搬送向き下流端部と、第４ガイド部材の第１搬送向き下流端部との間の位置である。また、図４（Ａ）の状態では、フラップ７６は、記録用紙３２のコシによって当該記録用紙３２に若干支持されている。しかし、本実施形態の説明においては、図４（Ａ）の状態では、支持されていないものとする。
【００５０】
片面記録が行われる場合、第３搬送ローラ５７は正転を維持するため、第３搬送ローラ対５７は記録用紙を排紙保持部７９へ排出する。一方、両面記録が行われる場合、記録用紙の第１搬送向き上流端部が、フラップ７６によって押圧され、回動ガイド部材７３に支持された状態において、第３搬送ローラ４５は正転から逆転へ切り換えられる。これにより、第３ローラ対５９は記録用紙を副搬送路７５へスイッチバック搬送する。
【００５１】
［副搬送路７５］
図２に示されるように、副搬送路７５は、分岐部８０（本発明の第１合流部の一例）で排紙路６５Ｂから分岐される。なお分岐部８０は、第４ガイド部材６７と第３ローラ５７との間に形成される。副搬送路７５は、分岐部８０から、プラテン３１と給送ローラ２５との間を通って、記録部２４よりも第１搬送向き上流側の合流部３７まで至る。そして副搬送路７５は、合流部３７にて湾曲路６５Ａと合流する。記録用紙３２は、副搬送路７５を第２搬送向きへ搬送される。ここで、第２搬送向きとは、副搬送路７５を分岐部８０から合流部３７に向かう向きで、図２における矢印付きの二点鎖線で示される向きを指す。また、副搬送路７５は、所定間隔を隔てて互いに対向する第５ガイド部材６８及び第６ガイド部材６９によって形成されている。
【００５２】
［第４搬送ローラ８１］
図２に示されるように、副搬送路７５には、第４搬送ローラ８１及び従動ローラ８２を備える第４ローラ対８３が設けられている。従動ローラ８２は、第４搬送ローラ８１の上方に配置されており、図示しないバネなどの弾性部材によって第４搬送ローラ８１のローラ面に圧接されている。
【００５３】
第４搬送ローラ８１は、搬送モータ３３から正転及び逆転の駆動力が伝達されると、正転される。第４ローラ８１が正転すると、記録用紙３２は、第２搬送向きに搬送される。つまり、第４ローラ対８３は、搬送モータ３３が回転されると、副搬送路７５に搬送された記録用紙３２を、第４搬送ローラ８１と従動ローラ８２との間で記録用紙３２を挟持する。さらに、第４ローラ対８３は、挟持した記録用紙３２を第２搬送向きへ搬送する。
【００５４】
図４（Ｂ）に示されるように、第４ローラ対８３によって搬送された記録用紙３２は、合流部３７を経て、再び記録部２４へと搬送される。この時、記録用紙３２の表裏面のうち、既に記録部２４とプラテン３１との間を通過した面とは異なる面が記録ヘッド３０と対向している。つまり、最初に画像が記録された面とは反対側の面に画像が記録される。両面に画像が記録された記録用紙３２は、再び排紙路６５Ｂを第１搬送向きへ搬送され、第３ローラ対５９の正転によって排紙保持部７９へ排出される。
【００５５】
［制御部１３０］
図６に示される制御部１３０は、複合機１０の全体動作を制御するものである。制御部１３０は、ＣＰＵ１３１、ＲＯＭ１３２、ＲＡＭ１３３、ＥＥＰＲＯＭ１３４、ＡＳＩＣ１３５を主とするマイクロコンピュータとして構成されている。これらは内部バス１３７によって接続されている。
【００５６】
ＲＯＭ１３２には、ＣＰＵ１３１が複合機１０の記録制御を含む各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。
【００５７】
ＡＳＩＣ１３５には、液晶表示パネル１２、給送モータ６１、キャリッジ駆動モータ６２、搬送モータ３３、記録ヘッド３０、ロータリーエンコーダ７０、レジセンサ６３、及び信号発生部６４が電気的に接続されている。ＡＳＩＣ１３５には、それぞれのモータを制御する駆動回路が組み込まれている。
【００５８】
また、ＡＳＩＣ１３５には、ロータリーエンコーダ７０から出力されるパルス信号が入力される。制御部１３０は、このパルス信号に基づいて、第１搬送ローラ５１の回転量を算出する。制御部１３０は、レジセンサ６３から信号が出力された後の第１搬送ローラ５１の回転量に基づいて、記録用紙３２の現在位置、及び記録用紙３２が目標の位置に到達するために必要な第１搬送ローラ５１の回転量を算出する。
【００５９】
また、ＡＳＩＣ１３５には、信号発生部６４からの第１信号及び第２信号が入力される。制御部１３０は、第１信号が入力された場合に、フラップ７６が第１位置又は第３位置にあると判断し、第２信号が入力された場合に、フラップ７６が第２位置にあると判断する。
【００６０】
また、液晶表示パネル１２に表示を行わせるための各種の画像データが、制御部１３０から液晶表示パネル１２へ送信される。
【００６１】
［フラップ７６の移動に基づく異常検知］
制御部１３０は、各段階において信号発生部６４から入力される信号が第１信号であるか又は第２信号であるかに基づいて、プリンタ部１１の状態を判断し、異常が発生していないかを判断する。その詳細な制御の流れが、図７，８のフローチャートを参照して以下に説明される。
【００６２】
図７，８のフローチャートは、ユーザからの指示により画像記録可能な状態（以下、待機状態とする。）において開始される。待機状態において、制御部１３０は、信号発生部６４からの信号を定期的にチェックしている（ステップＳ１０）。この待機状態としては、例えば、複合機１０の電源がＯＮされた状態である。
【００６３】
第１信号が出力されている場合（ステップＳ１０：Ｙｅｓ）、フラップ７６が第１位置又は第３位置のいずれかにあることを意味する。しかしながら、記録用紙３２が搬送されていないため、フラップ７６が第１位置にあることはない。つまり、給送トレイ２０が非給送位置まで移動されフラップ７６が第３位置であると判断できる（図３（Ｂ）の状態）。そのため、制御部１３０は、給送トレイ２０を装着することを促すメッセージを、複合機１０と接続されたコンピュータのディスプレイ（不図示、以下、ディスプレイ装置とする）、又は液晶表示パネル１２に表示させる（ステップＳ３０）。メッセージの表示中、制御部１３０は一定の周期でステップＳ１０の判断を繰り返す。以下、特に断りがない限り、ディスプレイ装置又は液晶表示パネル１２によるメッセージの表示は、信号発生部６４からの信号が変化するまで維持されるものとする。
【００６４】
メッセージの表示中、定期的にステップＳ１０の判断が行われる。ステップＳ１０において第２信号が出力されている場合（ステップＳ１０：Ｎｏ）、制御部１３０は、シート通過フラグをＯＦＦにする。シート通過フラグは、記録用紙３２がフラップ７６を通過中であることを示すフラグであり、ＲＡＭ１３３に記憶される。ユーザによる画像記録の指示がない状態では（ステップＳ４０：Ｎｏ）、制御部１３０は、ステップＳ１０からステップＳ４０までの制御を定期的に繰り返す。
【００６５】
ユーザによる画像記録の指示が行われた場合（ステップＳ４０：Ｙｅｓ）、制御部１３０は、信号発生部６４からの信号をチェックする（ステップＳ５０）。第１信号が出力されている場合（ステップＳ５０：Ｙｅｓ）、ステップＳ３０と同様の理由から、給送トレイ２０が非給送位置まで移動されたと判断できる。そのため、制御部１３０は、給送トレイ２０を装着することを促すメッセージを、ディスプレイ装置又は液晶表示パネル１２に表示させる（ステップＳ７０）。メッセージの表示中、制御部１３０は一定の周期でステップＳ５０の判断を繰り返す。
【００６６】
第２信号が出力されている場合（ステップＳ５０：Ｎｏ）、給送トレイ２０が給送位置にあり、画像記録可能な状態であると判断できる。制御部１３０は、給送モータ６１を制御することで、給送部１５によって、記録用紙３２を湾曲路６５Ａへ給送する（ステップＳ６０）。記録用紙３２の給送中、制御部１３０は、信号発生部６４からの信号をチェックする（ステップＳ８０）。第１信号が出力されている場合（ステップＳ８０：Ｙｅｓ）、ステップＳ３０と同様の理由から、給送トレイ２０が非給送位置まで移動されたと判断できる。このとき、仮に記録用紙３２が正常に給送されても、給送トレイ２０の移動により、記録用紙３２を排紙保持部７９に排紙できない。そのため、制御部１３０は、給送モータ６１を停止させ、給送トレイ２０を装着することを促すメッセージを、ディスプレイ装置又は液晶表示パネル１２に表示させる（ステップＳ１００）。メッセージの表示中、制御部１３０は一定の周期でステップＳ８０の判断を繰り返す。
【００６７】
レジセンサ６３から信号が発生されてから、所定時間給送モータ６１が回転したことをもって、制御部１３０は、記録用紙３２の第１搬送向き下流端が第１ローラ対５３に到達したと判断する（ステップＳ９０）。制御部１３０は、搬送モータ３３を制御することで、第１ローラ対５３によって、記録用紙３２を第１搬送向きへ搬送する。（ステップＳ１１０）給送モータ６１の回転は、記録用紙３２の第１搬送向き下流端が第１ローラ対５３を通過した後に停止される。
【００６８】
また、レジセンサ６３から信号が発生された後の第１搬送ローラ５１の回転量に基づいて、記録用紙３２の第１搬送向き下流端の位置を算出し、ＲＡＭ１３３に記憶させる（ステップＳ１２０）。第１搬送ローラ５１の回転量は、ロータリーエンコーダ７０からのパルス信号に基づいて算出できる。制御部１３０が算出した記録用紙３２の第１搬送向き下流端の位置が本発明の予測位置の一例である。
【００６９】
制御部１３０は、信号発生部６４からの信号をチェックする（ステップＳ１３０）。第１信号が出力されている場合（ステップＳ１３０：Ｙｅｓ）、制御部１３０は、ステップＳ１２０においてＲＡＭ１３３に記憶させた記録用紙３２の第１搬送向き下流端の位置が、フラップ７６周辺の既定位置よりも第１搬送向きの下流側であるか否かを判断する。記録用紙３２の下流端の位置が既定位置よりも第１搬送向きの下流側である場合（ステップＳ１７０：Ｙｅｓ）、フラップ７６が第１位置に移動したことで、ステップＳ１３０において第１信号が出力されたと判断できる。これは、画像記録時におけるプリンタ部１１の正常な動作である。制御部１３０は、記録用紙３２がフラップ７６を通過中であることを記憶するため、シート通過フラグをＯＮにする（ステップＳ１８０）。
【００７０】
ＲＡＭ１３３に記憶された記録用紙３２の下流端の位置が、既定位置よりも第１搬送向きの上流側である場合（ステップＳ１７０：Ｙｅｓ）、記録用紙３２がフラップ７６を持ち上げてはいないため、給送トレイ２０が非給送位置まで移動されたことにより、フラップ７６が第３位置へ移動したと判断できる。制御部１３０は、搬送モータ３３を停止させ、給送トレイ２０を装着することを促すメッセージを、ディスプレイ装置又は液晶表示パネル１２に表示させる（ステップＳ１９０）。メッセージの表示中、制御部１３０は一定の周期でステップＳ１３０の判断を繰り返す。
【００７１】
ステップＳ１３０において第２信号が出力されている場合（ステップＳ１３０：Ｎｏ）、記録用紙３２の下流端が既定位置まで到達していないか、あるいは、記録用紙３２がフラップ７６を完全に通過した後である。シート通過フラグがＯＮである場合、ステップＳ１８０が一度実行されているため、記録用紙３２がフラップ７６を完全に通過したと判断できる。その場合、制御部１３０は、シート通過フラグをＯＦＦにする（ステップ：Ｓ１５０）。その後制御部１３０は、ステップＳ２００の判断を行う。
【００７２】
ステップＳ１４０において、制御部１３０がＮｏと判断した場合、あるいは、制御部１３０がステップＳ１８０を実行した後、制御部１３０は、記録用紙３２に画像記録を実行する。すなわち、キャリッジ２９を左右方向９のいずれかへ走行させ、その課程において、記録ヘッド３０にインクを吐出させる。
【００７３】
制御部１３０は、記録用紙３２の１ページ分の記録が完了したか否かを判断し、終了していない場合（ステップＳ２００：Ｎｏ）、搬送モータ３３を制御して、次の記録位置まで記録用紙３２を搬送する（ステップＳ１１０）。終了した場合（ステップＳ２００：Ｙｅｓ）、制御部１３０は、記録用紙３２の裏面（プラテン３１に向けられている面）に画像記録を行うか否かを判断する。裏面に画像記録を行わない場合（ステップＳ２１０：Ｎｏ）、制御部１３０は、完全排紙動作を実行する。すなわち、記録用紙３２が排紙保持部７９へ排紙されるまで、搬送モータ３３を正転させる（ステップ：Ｓ２２０，Ｓ２３０）。裏面に画像記録を行う場合（ステップＳ２１０：Ｙｅｓ）、制御部１３０は、ホールド排紙動作を実行する（ステップＳ２４０，Ｓ２５０）。ホールド排紙動作とは、図４（Ａ）に示されるようにフラップ７６が自重によって記録用紙３２を押し下げる位置まで、搬送モータ３３を正転させて記録用紙３２を搬送する動作である。ステップＳ２３０，Ｓ２５０において制御部１３０は、レジセンサ６３から信号が出力された後の第１搬送ローラ５１の回転量が、必要な値まで達したタイミングで、搬送モータ３３の回転を停止させる。
【００７４】
制御部１３０は、信号発生部６４からの信号をチェックする（ステップＳ２６０）。第１信号が出力されている場合（ステップＳ２６０：Ｙｅｓ）、制御部１３０は、さらにシート通過フラグがＯＮであるか否かを判断する（ステップＳ２８０）。Ｓ２８０において、シート通過フラグがＯＮであることは、ステップＳ１８０の処理をした後に、ステップＳＳ１５０を経由せずに、ステップＳ２００においてＹＥＳと判断された場合である。つまり、記録用紙３２の第１搬送向き下流端が、フラップ７６よりも第１搬送向き下流側であって且つ記録用紙３２の第１搬送向き上流端がフラップ７６よりも第１搬送向き上流側に位置している場合である。また、２８０において、シート通過フラグがＯＦＦであることは、記録用紙３２の第１搬送向き上流端がフラップ７６よりも第１搬送向き下流側に位置している場合である。
【００７５】
そして、ステップＳ２６０においてシート通過フラグがＯＮである場合、以下の３つの状況が想定される。第１の状況として、ステップＳ２２０，Ｓ２４０において、給送トレイ２０が給送位置に位置しているが、排紙が正常に行われなかったため、フラップ７６が第１位置にあることが想定される。たとえば、排紙路６５Ｂ内で、詰まってしまった記録用紙３２によってフラップ７６が第１位置にある状況である。第２の状況として、排紙が正常に行われたが、給送トレイ２０が非給送位置まで移動されたことにより、フラップ７６が第３位置へ移動したことが想定される。第３の状況として、排紙が正常に行われず、且つ給送トレイ２０が非給送位置まで移動されたことが想定される（図３（Ｄ）の状態）。これらのうちのどの状況であるか判断できないため、制御部１３０は、給送トレイ２０を装着することを促すメッセージと、記録用紙３２を取り除くことを促すメッセージとを、ディスプレイ装置又は液晶表示パネル１２に表示させる（ステップＳ３００）。
【００７６】
ステップＳ２８０においてシート通過フラグがＯＦＦである場合（ステップＳ２８０：Ｙｅｓ）、記録用紙３２は、すでにフラップ７６を通過した状態であるため、給送トレイ２０が非給送位置まで移動されたことにより、フラップ７６が第３位置へ移動したと判断できる。よって制御部１３０は、給送トレイ２０を装着することを促すメッセージを、ディスプレイ装置又は液晶表示パネル１２に表示させる（ステップＳ２９０）。ステップＳ２９０，Ｓ３００のメッセージの表示中、制御部１３０は一定の周期でステップＳ２６０の判断を繰り返す。
【００７７】
ステップＳ２６０において第２信号が出力されている場合（ステップＳ２６０：Ｎｏ）、完全排紙動作又はホールド排紙動作が正常に行われたことで、フラップ７６が第２位置へ移動したと判断できる（図３（Ａ）又は図４（Ａ）の状態）。制御部１３０は、シート通過フラグをＯＦＦにする（ステップＳ２７０）。
【００７８】
制御部１３０は、裏面に画像記録を行うか否かを再度判断し、裏面に画像記録を行わない場合（ステップＳ３１０：Ｎｏ）、画像記録を終了するための制御を実行する（Ｓ３２０）。詳細には、キャリッジ２９を所定の位置まで移動させ、プリンタ部１１を待機状態へと遷移させる。裏面に画像記録を行う場合（ステップＳ３１０：Ｙｅｓ）、制御部１３０は、搬送モータ３３を逆転して第３搬送ローラ５７を逆転させて、記録用紙３２を副搬送路７５に沿って第２搬送向きへ搬送する。記録用紙３２は、副搬送路７５に設けられた第４ローラ対８３のニップ位置まで搬送される。
【００７９】
制御部１３０は、信号発生部６４からの信号をチェックする（ステップＳ３４０）。第２信号が出力されている場合（ステップＳ３４０：Ｎｏ）、制御部１３０は、第４ローラ対８３によって、記録用紙３２を搬送する。つまり、第４ローラ対８３によって記録用紙３２を合流部３７に向けて搬送するとともに、第１ローラ対５３に向けて表面に画像が記録された記録用紙３２を給送する（Ｓ３５０）。そして、制御部１３０は、ステップＳ８０以降のフローを再度実行して、記録用紙３２の裏面に画像記録を行う。
【００８０】
ステップＳ３４０において第１信号が出力されている場合（ステップＳ３４０：Ｙｅｓ）、以下の３つの状況が想定される。第１の状況として、給送トレイ２０が給送位置に位置しているが、記録用紙３２が副搬送路７５へ正常に搬送されなかったことが想定される。つまり、第３搬送ローラ５７の逆転によって、記録用紙３２がフラップ７６周辺で詰まってしまい、フラップ７６が持ち上げられて第１位置とされていることが想定される。第２の状況として、記録用紙３２は副搬送路７５へ正常に搬送されたが、給送トレイ２０が非給送位置まで移動されたことにより、フラップ７６が第３位置へ移動したことが想定される。第３の状況として、副搬送路７５への搬送が正常に行われず、且つ給送トレイ２０が非給送位置まで移動されたことも想定される。これらのうちのどの状況であるか判断できないため、制御部１３０は、給送トレイ２０を装着することを促すメッセージと、記録用紙３２を取り除くことを促すメッセージとを、ディスプレイ装置又は液晶表示パネル１２に表示させる（ステップＳ３６０）。
【００８１】
メッセージの表示中、制御部１３０は、一定の周期で信号発生部６４からの信号をチェックする（ステップＳ３７０）。第１信号が出力された状態が継続している場合（ステップＳ３７０：Ｙｅｓ）、制御部１３０はメッセージが表示された状態を維持する。第２信号が出力された場合（ステップＳ３７０：Ｎｏ）、ステップＳ６０からのフローを再度実行する。すなわち、給送モータ６１を制御することで、給送部１５によって、記録用紙３２を湾曲路６５Ａへ供給する。
【００８２】
［実施形態の作用効果］
フラップ７６の位置に応じて、信号発生部６４が発生させる信号が第１信号に変化するため、制御部１３０は、記録用紙３２がフラップ７６を通過したこと、及び給送トレイ２０が非給送位置まで移動されたことを検知することができる。特に、給送モータ６１、キャリッジ駆動モータ６２、又は搬送モータ３３のいずれも動作させていないときに、信号発生部６４の信号が第２信号から第１信号になった場合には、制御部１３０は、給送トレイ２０が非給送位置まで移動されたと判断することができる。その結果、ディスプレイ装置又は液晶表示パネル１２に適切なメッセージを表示させることができる。
【００８３】
また、記録用紙３２の下流端の位置が算出されることで、信号発生部６４の信号が第２信号から第１信号になった場合に、給送トレイ２０が移動されたのか、又は記録用紙３２の第１搬送向き下流端がフラップ７６に到達したのかを制御部１３０が容易に判断することができる。
【００８４】
また、記録用紙３２が両面画像記録のために副搬送路７５に送られる場合、フラップ７６の回動によって、記録用紙３２の第１搬送向き上流端が副搬送路７５へと向けられる。このとき、フラップ７６は第２位置に位置している。しかし、第１信号が発生しているならば、フラップ７６が第２位置になく、記録用紙３２の上流端が正常に副搬送路７５へと向けられておらず搬送異常（たとえばシート詰まり）を起こしているか、給送トレイ２０が非給送位置にあると判断できる。
【００８５】
また、画像記録が継続されているときに、回動ガイド部材７３が、給送トレイ２０に支持されず、搬送路６５及び副搬送路７５を開放する姿勢（たとえば図３（Ｂ）の状態）に変化すると記録用紙３２が詰まることがある。具体的には、回動ガイド部材７３が図３（Ｂ）の状態に変化すると、当該状態の回動ガイド部材７３によって、記録用紙３２がせき止められたり、また記録用紙３２が給送トレイ２０が装着されている空間に向かってしまう。しかし、画像記録が継続されているときに、信号発生部６４が発生させる信号が第２信号から第１信号に変化すると、メッセージと共に記録用紙３２の搬送や画像記録の動作が停止される。これにより、給送トレイ２０が非給送位置にある状態で画像記録が継続されて記録用紙３２が詰まることが防止される。
【００８６】
また、フラップ７６の位置が変化するまでエラーメッセージが表示されるため、問題が発生してから時間をおいてユーザが画像記録を再開しようとした場合でも、装置を正常な状態に復帰させるための対処方法をユーザが理解することができる。
【００８７】
［変形例］
上述された実施形態において、フラップ７６は、回動ガイド部材７３を介して給送トレイ２０に支持されていたが、フラップ７６は給送トレイ２０に直接支持されてもよい。または、フラップ７６に給送トレイ２０と接触可能な検出子を設け、信号発生部６４が当該検出子の動作に応じて第１信号及び第２信号を発生させるようにしてもよい。
【００８８】
また、給送トレイ２０は、必ずしも複合機１０から完全に着脱可能である必要はなく、給送位置と非給送位置との間で移動可能なものであればよい。また、給送トレイ２０の移動は、一方向へのスライドに限定されるものではない。
【００８９】
また、ユーザにエラーを報知する方法として、必ずしもコンピュータのディスプレイ装置や液晶表示パネル１２を使用したものでなくてもよい。たとえば、スピーカから発せられる音声などが使用されてもよい。
【００９０】
また、上述されたフローチャートに示される制御は一例であり、同等の機能を実現するものであれば、詳細なアルゴリズムは任意に決定されるものである。
【００９１】
また、プリンタ部１１は、上述された実施形態のように必ずしも記録用紙３２の両面に画像記録可能なものである必要はなく、片面にのみ画像記録可能なものであってもよい。
【符号の説明】
【００９２】
１０・・・複合機（画像記録装置）
１２・・・液晶表示パネル（表示部）
１５・・・給送部
２０・・・給送トレイ（トレイ）
２４・・・記録部
３２・・・記録用紙（図２、シート）
３７・・・合流部（第２合流部）
５１・・・第１搬送ローラ（搬送部，搬送ローラ）
５４・・・第２搬送ローラ（搬送部）
５７・・・第３搬送ローラ（搬送部）
６３・・・レジセンサ（検知信号発生部）
６４・・・信号発生部
７３・・・回動ガイド部材（副搬送路形成部材、被支持部材）
７６・・・フラップ（揺動部材）
７８・・・補助ローラ（当接部）
８０・・・分岐部（第１合流部）
１３０・・・制御部
【図１】
0005906909.tif 000002
【図２】
0005906909.tif 000003
【図３】
0005906909.tif 000004
【図４】
0005906909.tif 000005
【図５】
0005906909.tif 000006
【図６】
0005906909.tif 000007
【図７】
0005906909.tif 000008
【図８】
0005906909.tif 000009